(57)【要約】【課題】  携帯電話端末を利用することで、一般的なテレビ受像機を用い、かつ、サーバを用いることなくザッピングを行う。【解決手段】  携帯電話端末１し、ユーザのチャンネル指定に基づき、そのチャンネル情報を生成し、メールに添付して送信する。そして、当該メールを閲覧したときに添付されたチャンネル情報に基づき該当するチャンネル信号を出力してテレビ受像機のチャンネルを切り替える。また、ユーザのチャンネル指定に基づきテレビ受像機２にチャンネル信号を出力し、他の携帯電話端末１に対してチャンネル情報を送信し、グルーピングされたユーザのグループ登録情報を参照してユーザが属するグループを検索し、グルーピングされた他のユーザ情報を取得し、他のユーザの携帯電話端末１に対しユーザのチャンネル情報を同報送信してチャンネル切替え指示を行っても良い。【選択図】      図１
2005333408.tif 000002
【特許請求の範囲】
【請求項１】
携帯電話端末同士が通信ネットワークを介して接続されるチャンネル情報共有システムであって、
ユーザのチャンネル指定に基づき、そのチャンネル情報を生成し、メールに添付して送信する第１の携帯電話端末と、
前記メールを受信し、当該メールを閲覧したときに前記添付されたチャンネル情報に基づき該当するチャンネル信号を出力してテレビ受像機のチャンネルを切り替える第２の携帯電話端末と、
を具備することを特徴とするチャンネル情報共有システム。
【請求項２】
携帯電話端末同士が通信ネットワークを介して接続されるチャンネル情報共有システムであって、
グルーピングされたユーザのグループ登録情報を記憶する記憶部と、ユーザのチャンネル指定を受信し、グルーピングされたユーザのグループ登録情報を参照して他のユーザ情報を取得するグループ情報取得部と、前記他のユーザの情報に含まれるユーザの携帯電話端末に対し前記ユーザのチャンネル情報を同報送信してチャンネル切替え指示を行うチャンネル情報同報送信部から成る第１の携帯電話端末と、
前記第１の携帯電話端末からチャンネル情報およびグルーピングされたユーザのグループ情報を受信して記憶部に記憶させるグループ情報受信部と、前記チャンネル情報に基づいてテレビ受像機にチャンネル信号を出力するチャンネル信号出力部と、ユーザからりチャンネル指定を受付けるチャンネル指定部と、グルーピングされたユーザのグループ情報を参照してユーザ情報を取得するグループ情報取得部と、前記ユーザ情報に含まれるユーザの携帯電話端末に前記チャンネル指定に対応するチャンネル情報を送信するチャンネル情報送信部とから成る第２の携帯電話端末と、
を具備することを特徴とするチャンネル情報共有システム。
【請求項３】
前記第２の携帯電話端末は、
前記チャンネル情報を同報送信する際、前記グループ登録情報も同報送信することを特徴とする請求項２に記載のチャンネル情報共有システム。
【請求項４】
ユーザのチャンネル指定に基づきそのチャンネル情報を生成し、通信ネットワークを介して接続される他の携帯電話端末に対しメールに添付して送信するメール作成送信部と、
前記他の携帯電話端末から前記メールを受信し、当該メールを閲覧したときに添付されたチャンネル情報に基づき該当するチャンネル信号を出力してテレビ受像機のチャンネルを切り替えるアプリケーション実行部と、
を具備することを特徴とする携帯電話端末。
【請求項５】
グルーピングされたユーザのグループ登録情報を記憶する記憶部と、
ユーザのチャンネル指定を受信し、グルーピングされたユーザのグループ登録情報を参照して他のユーザ情報を取得するグループ情報取得部と、前記他のユーザの情報に含まれるユーザの携帯電話端末に対し前記ユーザのチャンネル情報を同報送信してチャンネル切替え指示を行うチャンネル情報同報送信部と、
を具備することを特徴とする携帯電話端末。
【請求項６】
他の携帯電話端末からチャンネル情報およびグルーピングされたユーザのグループ情報を受信して記憶部に記憶させるグループ情報受信部と、
前記チャンネル情報に基づいてテレビ受像機にチャンネル信号を出力するチャンネル信号出力部と、
ユーザからりチャンネル指定を受付けるチャンネル指定部と、
グルーピングされたユーザのグループ情報を参照してユーザ情報を取得するグループ情報取得部と、
前記ユーザ情報に含まれるユーザの携帯電話端末に前記チャンネル指定に対応するチャンネル情報を送信するチャンネル情報送信部と、
を具備することを特徴とする携帯電話端末。
【請求項７】
複数ユーザ間で携帯電話端末を用いてチャンネル情報を共有するチャンネル情報共有方法であって、
ユーザのチャンネル指定に基づき、そのチャンネル情報を生成し、メールに添付して送信するステップと、
前記メールを受信し、当該メールを閲覧したときに前記添付されたチャンネル情報に基づき該当するチャンネル信号を出力してテレビ受像機のチャンネルを切り替えるステップと、
を有することを特徴とするチャンネル情報共有方法。
【請求項８】
複数ユーザ間で携帯電話端末を用いてチャンネル情報を共有するチャンネル情報共有方法であって、
ユーザのチャンネル指定に基づきテレビ受像機にチャンネル信号を出力し、第２の携帯電話端末に対してチャンネル情報を送信するステップと、
前記第１の携帯電話端末から前記チャンネル情報を受信し、グルーピングされたユーザのグループ登録情報を参照して前記ユーザが属するグループを検索し、グルーピングされた他のユーザ情報を取得するステップと、
前記他のユーザの携帯電話端末に対し前記ユーザのチャンネル情報を同報送信してチャンネル切替え指示を行うステップと、
を有することを特徴とするチャンネル情報共有方法。
【請求項９】
複数ユーザ間で携帯電話端末を用いてチャンネル情報を共有する前記携帯電話端末に用いられる端末プログラムであって、
ユーザのチャンネル指定に基づきそのチャンネル情報を生成し、通信ネットワークを介して接続される他の携帯電話端末に対しメールに添付して送信する処理と、
前記他の携帯電話端末から前記メールを受信し、当該メールを閲覧したときに添付されたチャンネル情報に基づき該当するチャンネル信号を出力してテレビ受像機のチャンネルを切り替える処理と、
をコンピュータに実行させる端末プログラム。
【請求項１０】
複数ユーザ間で携帯電話端末を用いてチャンネル情報を共有する前記携帯電話端末に用いられる端末プログラムであって、
ユーザのチャンネル指定に基づきテレビ受像機にチャンネル信号を出力すると共に、他の携帯電話端末に対してチャンネル情報を送信する処理と、
前記他の携帯電話端末から前記チャンネル情報を受信し、グルーピングされたユーザのグループ登録情報を参照して前記ユーザが属するグループを検索し、前記グルーピングされた他のユーザ情報を取得する処理と、
前記他のユーザの携帯電話端末に対し前記ユーザのチャンネル情報を同報送信してチャンネル切替え指示を行う処理と、
をコンピュータに実行させる端末プログラム。
【請求項１１】
複数ユーザ間で携帯電話端末を用いてチャンネル情報を共有する前記携帯電話端末に用いられる端末プログラムを記録したコンピュータ読み取り可能な記録媒体であって、
ユーザのチャンネル指定に基づきそのチャンネル情報を生成し、通信ネットワークを介して接続される他の携帯電話端末に対しメールに添付して送信する処理と、
前記他の携帯電話端末から前記メールを受信し、当該メールを閲覧したときに添付されたチャンネル情報に基づき該当するチャンネル信号を出力してテレビ受像機のチャンネルを切り替える処理と、
をコンピュータに実行させる端末プログラムを記録した記録媒体。
【請求項１２】
複数ユーザ間で携帯電話端末を用いてチャンネル情報を共有する前記携帯電話端末に用いられる端末プログラムを記録したコンピュータ読み取り可能な記録媒体であって、
ユーザのチャンネル指定に基づきテレビ受像機にチャンネル信号を出力すると共に、他の携帯電話端末に対してチャンネル情報を送信する処理と、
前記他の携帯電話端末から前記チャンネル情報を受信し、グルーピングされたユーザのグループ登録情報を参照して前記ユーザが属するグループを検索し、前記グルーピングされた他のユーザ情報を取得する処理と、
前記他のユーザの携帯電話端末に対し前記ユーザのチャンネル情報を同報送信してチャンネル切替え指示を行う処理と、
をコンピュータに実行させる端末プログラムを記録した記録媒体。
【発明の詳細な説明】
【技術分野】
【０００１】
本発明は、複数ユーザ間で携帯電話端末を用いてチャンネル情報を共有する、チャンネル情報共有システムおよび方法、ならびに携帯電話端末、端末プログラム、記録媒体に関する。
【背景技術】
【０００２】
近年、地上波によるテレビ放送に加え、ケーブルテレビ、衛星を利用したＢＳ、ＣＳ衛星放送等、様々な放送ネットワークが出現してきている。このため、視聴者の見たい番組を選択する選択肢が増えてきている。
ところで、ザッピングによるチャンネル選択方式は、番組と視聴者の出会いを作るうえで効果的な手法である。
【０００３】
ところで、一般的なザッピングによれば、視聴者が本来視聴したい番組あるいはチャンネルがあっても、ザッピングの過程でそのチャンネルに遭遇しないことがあり、見逃す可能性がある。また、グループで視聴する場合、グループ間で人気の番組であっても一般的なザッビングではそれらを客観的に把握することができず、このため、最適なチャンネル選択手段とはなりえない。
このため、視聴者の嗜好をその視聴履歴から推定し、視聴者に対して特定のチャンネルあるいは番組への選択を推奨する、あるいは制御するシステムが提案されている（例えば、特許文献１参照）。
【特許文献１】特開２００３−１８９３３３号公報
【発明の開示】
【発明が解決しようとする課題】
【０００４】
上記した特許文献１に開示された技術によれば、テレビ視聴者の嗜好を細かく分類し、特定嗜好の視聴者グループがどの番組を視聴しているかを把握したうえで、同じ嗜好の別の視聴者にも同じ番組が速やかに視聴できるように、推奨、もしくは制御することができる。
しかしながら、そのためにテレビ受像機は視聴者の過去の視聴履歴、あるいは現在を含む将来の視聴状況をサーバに通知し、サーバで特定の視聴グループが現在または将来どの番組を主に視聴するかを多数決で判断してテレビ受像機を制御する必要がある。このため。専用のテレビ受像機を必要とし、かつ、サーバの負荷が大きいといった欠点を有する。
【０００５】
本発明は上記事情に基づきなされたものであり、携帯電話端末を利用することで、一般的なテレビ受像機を用い、かつ、サーバを使用することなく携帯電話端末間でザッピングを行い、例えば、あるグループに属する視聴者が他の番組視聴中であっても、グループの話題共有の観点から人気番組及びチャンネルへの誘導切替えを実現可能な、チャンネル情報共有システムおよび方法、ならびに携帯電話端末、端末プログラム、記録媒体を提供することを目的とする。
【課題を解決するための手段】
【０００６】
上記した課題を解決するために本発明の一実施形態は、携帯電話端末同士が通信ネットワークを介して接続されるチャンネル情報共有システムであって、ユーザのチャンネル指定に基づき、そのチャンネル情報を生成し、メールに添付して送信する第１の携帯電話端末と、前記メールを受信し、当該メールを閲覧したときに前記添付されたチャンネル情報に基づき該当するチャンネル信号を出力してテレビ受像機のチャンネルを切り替える第２の携帯電話端末と、を具備することを特徴とする。
【０００７】
また、本発明の一実施形態は、携帯電話端末同士が通信ネットワークを介して接続されるチャンネル情報共有システムであって、ユーザのチャンネル指定に基づきテレビ受像機にチャンネル信号を出力し、第２の携帯電話端末に対してそのチャンネル情報を送信する第１の携帯電話端末と、前記第１の携帯電話端末から前記チャンネル情報を受信し、グルーピングされたユーザのグループ登録情報を参照して前記ユーザが属するグループを検索し、グルーピングされた他のユーザ情報を取得して前記他のユーザの携帯電話端末に対し前記ユーザのチャンネル情報を同報送信してチャンネル切替え指示を行う第２の携帯電話端末と、を具備することを特徴とする。
【０００８】
また、本発明の一実施形態において、前記第２の携帯電話端末は、前記チャンネル情報を同報送信する際、前記グループ登録情報も同報送信することを特徴とする。
【０００９】
また、本発明の一実施形態は、ユーザのチャンネル指定に基づきそのチャンネル情報を生成し、通信ネットワークを介して接続される他の携帯電話端末に対しメールに添付して送信するメール作成送信部と、前記他の携帯電話端末から前記メールを受信し、当該メールを閲覧したときに添付されたチャンネル情報に基づき該当するチャンネル信号を出力してテレビ受像機のチャンネルを切り替えるアプリケーション実行部と、を具備することを特徴とする携帯電話端末である。
【００１０】
また、本発明の一実施形態は、ユーザのチャンネル指定に基づきテレビ受像機にチャンネル信号を出力すると共に、他の携帯電話端末に対してチャンネル情報を送信するチャンネル情報制御部と、前記他の携帯電話端末から前記チャンネル情報を受信し、グルーピングされたユーザのグループ登録情報を参照して前記ユーザが属するグループを検索し、当該グルーピングされた他のユーザ情報を取得して前記他のユーザの携帯電話端末に対し前記ユーザのチャンネル情報を同報送信してチャンネル切替え指示を行うチャンネル情報同報送信部と、を具備することを特徴とする携帯電話端末である。
【００１１】
また、本発明の一実施形態は、複数ユーザ間で携帯電話端末を用いてチャンネル情報を共有するチャンネル情報共有方法であって、ユーザのチャンネル指定に基づき、そのチャンネル情報を生成し、メールに添付して送信するステップと、前記メールを受信し、当該メールを閲覧したときに前記添付されたチャンネル情報に基づき該当するチャンネル信号を出力してテレビ受像機のチャンネルを切り替えるステップと、を有することを特徴とする。
【００１２】
また、本発明の一実施形態は、複数ユーザ間で携帯電話端末を用いてチャンネル情報を共有するチャンネル情報共有方法であって、ユーザのチャンネル指定に基づきテレビ受像機にチャンネル信号を出力し、第２の携帯電話端末に対してチャンネル情報を送信するステップと、前記第１の携帯電話端末から前記チャンネル情報を受信し、グルーピングされたユーザのグループ登録情報を参照して前記ユーザが属するグループを検索し、グルーピングされた他のユーザ情報を取得するステップと、前記他のユーザの携帯電話端末に対し前記ユーザのチャンネル情報を同報送信してチャンネル切替え指示を行うステップと、を有することを特徴とする。
【００１３】
また、本発明の一実施形態は、複数ユーザ間で携帯電話端末を用いてチャンネル情報を共有する前記携帯電話端末に用いられる端末プログラムであって、ユーザのチャンネル指定に基づきそのチャンネル情報を生成し、通信ネットワークを介して接続される他の携帯電話端末に対しメールに添付して送信する処理と、前記他の携帯電話端末から前記メールを受信し、当該メールを閲覧したときに添付されたチャンネル情報に基づき該当するチャンネル信号を出力してテレビ受像機のチャンネルを切り替える処理と、をコンピュータに実行させることを特徴とする。
【００１４】
また、本発明の一実施形態は、複数ユーザ間で携帯電話端末を用いてチャンネル情報を共有する前記携帯電話端末に用いられる端末プログラムであって、ユーザのチャンネル指定に基づきテレビ受像機にチャンネル信号を出力すると共に、他の携帯電話端末に対してチャンネル情報を送信する処理と、前記他の携帯電話端末から前記チャンネル情報を受信し、グルーピングされたユーザのグループ登録情報を参照して前記ユーザが属するグループを検索し、前記グルーピングされた他のユーザ情報を取得する処理と、前記他のユーザの携帯電話端末に対し前記ユーザのチャンネル情報を同報送信してチャンネル切替え指示を行う処理と、をコンピュータに実行させることを特徴とする。
【００１５】
また、本発明の一実施形態は、複数ユーザ間で携帯電話端末を用いてチャンネル情報を共有する前記携帯電話端末に用いられる端末プログラムを記録したコンピュータ読み取り可能な記録媒体であって、ユーザのチャンネル指定に基づきそのチャンネル情報を生成し、通信ネットワークを介して接続される他の携帯電話端末に対しメールに添付して送信する処理と、前記他の携帯電話端末から前記メールを受信し、当該メールを閲覧したときに添付されたチャンネル情報に基づき該当するチャンネル信号を出力してテレビ受像機のチャンネルを切り替える処理と、をコンピュータに実行させる端末プログラムを記録した記録媒体である。
【００１６】
また、本発明の一実施形態は、複数ユーザ間で携帯電話端末を用いてチャンネル情報を共有する前記携帯電話端末に用いられる端末プログラムを記録したコンピュータ読み取り可能な記録媒体であって、ユーザのチャンネル指定に基づきテレビ受像機にチャンネル信号を出力すると共に、他の携帯電話端末に対してチャンネル情報を送信する処理と、前記他の携帯電話端末から前記チャンネル情報を受信し、グルーピングされたユーザのグループ登録情報を参照して前記ユーザが属するグループを検索し、前記グルーピングされた他のユーザ情報を取得する処理と、前記他のユーザの携帯電話端末に対し前記ユーザのチャンネル情報を同報送信してチャンネル切替え指示を行う処理と、をコンピュータに実行させる端末プログラムを記録した記録媒体である。
【発明の効果】
【００１７】
本発明によれば、携帯電話端末を利用することで、一般的なテレビ受像機を用い、かつ、サーバを使用することなくザッピングを行うことができ、例えば、あるグループに属する視聴者が他の番組を視聴中であっても、グループの話題共有の観点から人気番組及びチャンネルへの誘導切替えが実現できる。
【発明を実施するための最良の形態】
【００１８】
図１は、本発明の一実施形態に係わる放送番組連動型演出システムのシステム構成を説明するために引用した図である。
図１において、符号１は、携帯電話端末であり、赤外線によるチャンネルリモコン機能を持つ。携帯電話端末１が持つチャンネルリモコン機能については、例えば、特開２００３−７８９７７号公報により周知である。
また、メール送信はもとより、メールを閲覧したときに内蔵のアブリケーションを起動する機能も合せて持つ。詳細は後述する。符号２は、放送番組が放映されるＴＶ受像機である。
【００１９】
なお、本発明実施形態において、携帯電話端末１同士は、ピア・ツー・ピア、もしくは図示せぬメールサーバを介して接続されている。このため、携帯電話端末１同士は、ＩＰ（Internet Protocol）網５ならびに携帯電話網６、そして、基地局７経由で接続される。
符号４は、放送局に設置される放送システムであり、放送システム４は、放送番組を地上波等により家庭内のＴＶ受像機２に放映する。
【００２０】
図２は、本発明のチャンネル情報共有システムに関して実施形態別にその動作シーケンスを示す図である。（ａ）（ｂ）ともに、携帯電話端末同士の関係を示し、（ａ）はメールを利用した１対１通信、（ｂ）はピア・ツー・ピアで接続された場合の１対多通信の実施形態をそれぞれ示す。以下に、概略動作説明を行う。
図２（ａ）において、一方の携帯電話端末１（Ａ）が、チャンネルリモコン機能を用いてチャンネル切替えを行ったとする（Ｓ３１）。このとき、他方の携帯電話端末１（Ｂ）に対しメールでチャンネル切替え指示を発する（Ｓ３２）。他方の携帯電話端末１（Ｂ）は、そのメールを受信し、ユーザが閲覧したときにアプリケーションが起動され、そのことにより現在視聴しているＴＶ受像機２のチャンネルが自動的に変更される（Ｓ３３）。
【００２１】
図２（ｂ）において、一方の携帯電話端末１（Ａ）が、チャンネルリモコン機能を用いてチャンネル切替えを行ったとする（Ｓ３１）。このとき、他の携帯電話端末１（Ｂ）、（Ｃ）に対して変更されたチャンネル情報が同報で送信され（Ｓ３６、Ｓ３８）、そのことにより携帯電話端末１（Ｂ）、（Ｃ）の周辺にある各ＴＶ受像機２のチャンネルが自動的に変更される（Ｓ３７、Ｓ３９）。
なお、ここで同報送信される対象となる携帯電話端末１（Ｂ、Ｃ）は、携帯電話端末１（Ａ）がグルーピングしたユーザに限定される。グルーピングされたユーザ情報は、グループ登録情報としてチャンネル情報が同報送信されるときに、一緒に他の携帯電話端末１（Ｂ、Ｃ）に送信される。このことにより、携帯電話端末１（Ｂ、Ｃ）においても同じグループ登録情報を用いて同じグループに属する他の携帯電話端末１にチャンネル切替えを反映させることができる。
【００２２】
図３は、携帯電話端末１の内部構成を機能展開して示したブロック図であり、図２（ａ）に相当する実施形態である。
図２に示されるように、携帯電話端末１は、アプリケーション実行部１０と、チャンネル（ＣＨ）指定部１１と、ＣＨ検出部１２と、ＣＨ信号出力部１３と、メール作成送信部１４で構成される。
メール作成送信部１４は、ユーザのチャンネル指定に基づきそのＣＨ情報を生成し、接続される他の携帯電話端末１（Ｂ）に対しメールに添付して送信する機能を持つ。これに対し、アプリケーション実行部１０は、他の携帯電話端末１（Ｂ）からメールを受信し、当該メールを閲覧したときに添付されたチャンネル情報に基づき該当するチャンネル信号を出力してテレビ受像機２のチャンネルを切り替える機能を持つ。アプリケーション実行部１０は、メール受信部１５と、アプリ起動部１６と、ＣＨ情報取得部１７で構成される。
【００２３】
なお、ＣＨ指定部１１は、各種キーにより構成され、ユーザからＴＶ受像機２に対する各種指示、例えば、電源のＯＮやＯＦＦ、チャンネル変更等の指示を受付ける。そして、ＣＨ検出部１２を介してＣＨが検出され、ＣＨ信号出力部１３は、検出されたＣＨに相当する赤外線信号を生成してＴＶ受像機２へ送信する。
【００２４】
図７に、携帯電話端末１（Ｂ）がメールを受信するときの処理手順がフローチャートで示されている。
上記したように、携帯電話端末１（Ａ）から送信されるメールには、ユーザＡがチャンネル切替えを行った時に生成されたチャンネル情報が添付されている。携帯電話端末１（Ｂ）のユーザがその受信メールを閲覧したことを契機に、アプリ起動部１６が動作してアプリケーションプログラムが自動的に起動される。このことにより、ＣＨ情報取得部１７でメールに添付されたチャンネル情報を取得し、ＣＨ検出部１２経由でＣＨ信号出力部１３を動作させ、チャンネル情報に該当するＣＨ信号を生成出力する（Ｓ７４）。従って、ユーザＢの視聴しているチャンネルをユーザＡが視聴しているチャンネルへ切替えることが可能になる。
【００２５】
図４は、携帯電話端末１の内部構成を機能展開して示したブロック図であり、図２（ｂ）に相当する実施形態である。
図４に示されるように、携帯電話端末１は、ＣＨ指定部１１と、ＣＨ検出部１２と、ＣＨ信号出力部１３と、ＣＨ情報同報送信部１８と、Ｇｒ．情報検索部１９と、Ｇｒ．情報取得部２０と、Ｇｒ．情報ＤＢ２１と、ＣＨ情報受信部２２で構成される。
ＣＨ指定部１１、ＣＨ検出部１２、ＣＨ信号出力部１３については図３に示す実施形態と同様であるため、説明を省略する。Ｇｒ．情報ＤＢ２１には、例えば、図５にそのデータ構造の一例が示されるように、携帯電話端末１によって登録され、定義されたグルーピングされたユーザのＧｒ．登録情報が格納されている。ここでは、Ｇｒ．１は、ユーザＡＢ、Ｃ、Ｄのメンバから成っている。グルーピングされるユーザの登録は、例えば、メッセンジャが持つグルーピング機能を用い、電話帳リスト、あるいはグループ指定を行うユーザのメールアドレスを入力することで実現される。
【００２６】
Ｇｒ．情報検索部１９は、Ｇｒ．情報ＤＢ２１を参照してユーザから利用すると指定されたグループを検索し、Ｇｒ．情報取得部２０を介してグルーピングされた他のユーザ情報を取得する。
ＣＨ情報同報送信部１８は、グルーピングされた他方のユーザの携帯電話端末１に対し、一方のユーザのチャンネル情報を同報送信してチャンネルの切替え指示（ＣＨ変更情報）を行う機能を持つ。
なお、ＣＨ情報受信部２２は、他の携帯電話端末１（Ｂ、Ｃ、Ｄ）からチャンネル切替え時に生成されるＣＨ情報を受信し、Ｇｒ．情報検索部１９を起動して検索を実行させる機能を持つ。
【００２７】
図６にその処理手順がフローチャートで示されている。図６は、本発明の端末プログラムの処理手順も示している。
以下、図６に示すフローチャートを参照しながら図に示す本発明実施形態の動作について詳細に説明する。
ここでは、ユーザが携帯電話端末１のアプリケーションプログラム（以下、単にアプリという）を起動することによって、ＣＨ変更動作が可能になる。
まず、携帯電話端末１は、ユーザによってアプリケーションが起動された後（Ｓ６１）、ユーザによるＣＨ切替え指定のアクションがあったか否かを検出する（Ｓ６２）。ここでユーザＡが、自らが視聴する、あるいはしている番組を他のグループメンバに視聴させたい場合、携帯電話端末１を操作すると携帯電話端末１がリモコン機能を用いてそのＣＨ信号を出力すると共に、Ｇｒ．情報ＤＢ２１を検索してグループメンバにそのＣＨ情報を同報送信する。このとき、合せて今回利用するグループについてのＧｒ．登録情報も送信する。
すなわち、自身のＴＶ受像機２には、ＣＨ信号出力部１３を介してそのＣＨ情報に相当する信号が出力され（Ｓ６３）、また、グループに所属する他の携帯電話端末１に対しＣＨ情報同報送信部１８を介してそのＣＨ情報を送信する（Ｓ６５）。
【００２８】
このとき、Ｇｒ．情報検索部１９を起動し、Ｇｒ．情報検索部１９によるＧｒ．情報ＤＢ２１の検索が開始される（Ｓ６４）。ここでは、まず、ユーザＡが今回利用するグループの検索がなされ、続いて、グループメンバの検索が実行される。検索が終了することにより、ＣＨ情報同報送信部１８は、Ｇｒ．情報取得部２０によって取得された今回利用するＧｒ．１に属するユーザＢ、Ｃ、Ｄに対してユーザＡから受信したＣＨ情報及び今回利用するＧｒ．登録情報を同報送信する（Ｓ６５）。
一方、他の携帯電話端末１（Ｂ、Ｃ、Ｄ）から上記したＣＨ情報を受信した場合（Ｓ６６）、ＣＨ信号出力部１３によりそのＣＨに相当する赤外線信号を出力し、このことにより、ＴＶ受像機２のチャンネルの切替えが実行される（Ｓ６７）。また、Ｇｒ．登録情報が今回利用するものとして登録される（Ｓ６８）。以上の動作は、ユーザによりアプリケーションが終了されるまで継続される（Ｓ６９）。
【００２９】
以上説明のように本発明は、携帯電話端末を利用することで、一般的なテレビ受像機を用い、かつ、サーバを用いることなくザッピングを行うものであり、このことにより、例えば、あるグループに属するユーザが他の番組視聴中であってもある番組へ強制的に切替え、誘導することができる。従って、グループで視聴する場合、グループ間で人気の番組の視聴を見逃すことがなくなり、また、グループの話題共有の観点から得られる効果は大きい。
【００３０】
なお、図３に示す、アプリケーション実行部１０（メール受信部１５、アプリ起動部１６、ＣＨ情報取得部１７）と、チャンネル（ＣＨ）指定部１１と、ＣＨ検出部１２と、ＣＨ信号出力部１３と、メール作成送信部１４、あるいは、図４に示すＣＨ指定部１１と、ＣＨ検出部１２と、ＣＨ信号出力部１３と、ＣＨ情報同報送信部１８と、Ｇｒ．情報検索部１９と、Ｇｒ．情報取得部２０と、ＣＨ情報受信部２２のそれぞれで実行される手順を含むプログラムをコンピュータ読み取り可能な記録媒体に記録し、この記録媒体に記録されたプログラムをコンピュータシステムを含む携帯電話端末に読み込ませ、実行することによって本発明の携帯電話端末を実現することができる。ここでいうコンピュータシステムとは、ＯＳや周辺機器等のハードウェアを含む。
【００３１】
また、「コンピュータシステム」は、ＷＷＷシステムを利用している場合であれば、ホームページ提供環境（あるいは表示環境）も含むものであってもよい。また、「コンピュータ読取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムが送信された場合のシステムやクライアントとなるコンピュータシステム内部の揮発性メモリ（ＲＡＭ）のように、一定時間プログラムを保持しているものも含むものとする。
【００３２】
また、上記プログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。
また、上記プログラムは、前述した機能の一部を実現するためのものであっても良い。さらに、前述した機能をコンピュータシステムにすでに記録されているプログラムとの組み合わせで実現できるもの、いわゆる差分ファイル（差分プログラム）であっても良い。
【００３３】
以上、この発明の実施形態につき、図面を参照して詳述してきたが、具体的な構成はこの実施形態に限られるものではなく、この発明の要旨を逸脱しない範囲の設計等も含まれる。
【図面の簡単な説明】
【００３４】
【図１】本発明実施形態に係わるチャンネル情報共有システムのシステム構成の一例を示す図である。
【図２】本発明実施形態に係わるチャンネル情報共有システムの動作シーケンスを示す図である。
【図３】本発明の実施形態に係わる携帯電話端末の内部構成を機能展開して示したブロック図である。
【図４】本発明の他の実施形態に係わる携帯電話端末の内部構成を機能展開して示したブロック図である。
【図５】本発明実施形態において使用されるグループ情報データベースのデータ構造の一例を示す図である。
【図６】本発明の実施形態に係わる携帯電話端末の処理の流れを示すフローチャートである。
【図７】本発明の他の実施形態に係わる携帯電話端末の処理の流れを示すフローチャートである。
【符号の説明】
【００３５】
１…携帯電話端末、２…ＴＶ受像機、４…放送システム、５…ＩＰ網、６…携帯電話網、１０アプリケーション実行部、１１…ＣＨ指定部、１２…ＣＨ検出部、１３…ＣＨ信号出力部、１４…メール作成送信部、１５メール受信部、１６アプリ起動部、１７ＣＨ情報取得部、１８…ＣＨ情報同報送信部、１９…Ｇｒ．情報検索部、２０…Ｇｒ．情報取得部、２１…Ｇｒ．情報ＤＢ、２２…ＣＨ情報受信部２２
【図１】
2005333408.tif 000003
【図２】
2005333408.tif 000004
【図３】
2005333408.tif 000005
【図４】
2005333408.tif 000006
【図５】
2005333408.tif 000007
【図６】
2005333408.tif 000008
【図７】
2005333408.tif 000009
【手続補正書】
【提出日】平成16年5月31日(2004.5.31)
【手続補正１】
【補正対象書類名】明細書
【補正対象項目名】００１８
【補正方法】変更
【補正の内容】
【００１８】
図１は、本発明の一実施形態に係わるチャンネル情報共有システムのシステム構成を説明するために引用した図である。
図１において、符号１は、携帯電話端末であり、赤外線によるチャンネルリモコン機能を持つ。携帯電話端末１が持つチャンネルリモコン機能については、例えば、特開２００３−７８９７７号公報により周知である。
また、メール送信はもとより、メールを閲覧したときに内蔵のアプリケーションを起動する機能も合せて持つ。詳細は後述する。符号２は、放送番組が放映されるＴＶ受像機である。
【手続補正２】
【補正対象書類名】明細書
【補正対象項目名】００２０
【補正方法】変更
【補正の内容】
【００２０】
図２は、本発明のチャンネル情報共有システムに関して実施形態別にその動作シーケンスを示す図である。図２（ａ）（ｂ）ともに、携帯電話端末同士の関係を示し、図２（ａ）は、メールを利用した１対１通信、図２（ｂ）はピア・ツー・ピアで接続された場合の１対多通信の実施形態をそれぞれ示す。以下に、概略動作説明を行う。
図２（ａ）において、一方の携帯電話端末１（Ａ）が、チャンネルリモコン機能を用いてチャンネル切替えを行ったとする（Ｓ３１）。このとき、他方の携帯電話端末１（Ｂ）に対しメールでチャンネル切替え指示を発する（Ｓ３２）。他方の携帯電話端末１（Ｂ）は、そのメールを受信し、ユーザが閲覧したときにアプリケーションが起動され、そのことにより現在視聴しているＴＶ受像機２のチャンネルが自動的に変更される（Ｓ３３）。
【手続補正３】
【補正対象書類名】明細書
【補正対象項目名】００２１
【補正方法】変更
【補正の内容】
【００２１】
図２（ｂ）において、一方の携帯電話端末１（Ａ）が、チャンネルリモコン機能を用いてチャンネル切替えを行ったとする（Ｓ３５）。このとき、他の携帯電話端末１（Ｂ）、（Ｃ）に対して変更されたチャンネル情報が同報で送信され（Ｓ３６、Ｓ３８）、そのことにより携帯電話端末１（Ｂ）、（Ｃ）の周辺にある各ＴＶ受像機２のチャンネルが自動的に変更される（Ｓ３７、Ｓ３９）。
なお、ここで同報送信される対象となる携帯電話端末１（Ｂ、Ｃ）は、携帯電話端末１（Ａ）がグルーピングしたユーザに限定される。グルーピングされたユーザ情報は、グループ登録情報としてチャンネル情報が同報送信されるときに、一緒に他の携帯電話端末１（Ｂ、Ｃ）に送信される。このことにより、携帯電話端末１（Ｂ、Ｃ）においても同じグループ登録情報を用いて同じグループに属する他の携帯電話端末１にチャンネル切替えを反映させることができる。
【手続補正４】
【補正対象書類名】明細書
【補正対象項目名】００２２
【補正方法】変更
【補正の内容】
【００２２】
図３は、携帯電話端末１の内部構成を機能展開して示したブロック図であり、図２（ａ）に相当する実施形態である。
図２に示されるように、携帯電話端末１（Ａ）は、アプリケーション実行部１０と、チャンネル（ＣＨ）指定部１１と、ＣＨ検出部１２と、ＣＨ信号出力部１３と、メール作成送信部１４で構成される。
メール作成送信部１４は、ユーザのチャンネル指定に基づきそのＣＨ情報を生成し、接続される他の携帯電話端末１（Ｂ）に対しメールに添付して送信する機能を持つ。これに対し、アプリケーション実行部１０は、他の携帯電話端末１（Ｂ）からメールを受信し、当該メールを閲覧したときに添付されたチャンネル情報に基づき該当するチャンネル信号を出力してテレビ受像機２のチャンネルを切り替える機能を持つ。アプリケーション実行部１０は、メール受信部１５と、アプリ起動部１６と、ＣＨ情報取得部１７で構成される。
【手続補正５】
【補正対象書類名】図面
【補正対象項目名】図６
【補正方法】変更
【補正の内容】
【図６】
2005333408.tif 000010